【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
粒状材料から混入異物を洗浄除去する異物除去装置において、
粒状材料から混入異物を除去する異物除去領域を構成し且つ製品送出開口を有するハウジングと、
このハウジングに対して上下垂直方向の移動を可能にする構成の取り付けプレートがあって、この取り付けプレートの最も低い位置を画定するために前記取り付けプレートと係合して調節可能なストップ部材を有し、そして、前記取り付けプレートに設けたモーターと、
供給される粒状材料を受け取るために前記ハウジングの上側部分に設けられ且つこの粒状材料を供給ポートに向けて下向きに誘導する傾斜床を設けた供給開口部と、
前記供給開口部の位置に設けられて且つ前記供給ポートを通る粒状材料の流れ制御が可能な計量部であって、その計量部に設けたステンレス鋼製の円錐形部材が、前記供給開口部に設けた前記傾斜床の上側で前記最も低い位置に設定できるように、前記モーターと共に上下垂直方向に調節可能であって且つ前記モーターの出力シャフトに取り付けられている構成の前記計量部と、
前記供給ポートを通過する前記粒状材料を受け取るために位置決めされたベンチュリ室があって、洗浄された粒状材料が前記製品送出開口を通って落下している状態で、前記製品送出開口を通って上方に向けて流れる空気の流れがこのベンチュリ室に入ると共に、その空気の流れで粒状材料からダストおよびデブリを除去する前記ベンチュリ室と、
前記ベンチュリ室から上方に移動するダストおよびデブリを含有する空気を受け取るために配置し且つ前記ベンチュリ室の上側位置に在る排出導管であり、前記ダストおよびデブリを含有した空気を前記異物除去領域から分離して移動させるための前記排出導管と、
を備えたことを特徴とする異物除去装置。
【請求項２】
前記ハウジングに固定されたストップブラケット内に取り付けたつまみネジが、前記ストップ部材として前記取り付けプレートの下部側に配置されて、前記取り付けプレートおよび前記ストップブラケットを相互接続する張力バネが有り、そして、前記取り付けプレートの位置が前記つまみネジに係合するように偏倚する請求項１に記載の異物除去装置。
【請求項３】
前記異物除去装置に対して固定した位置に取り付けた真空発生器が前記ベンチュリ室を通る前記空気の流れを誘導して、前記製品送出開口から前記ベンチュリ室を通る空気を前記排出導管に引き込むために、この真空発生器が前記排出導管に連通する流れを起こす請求項１に記載の異物除去装置。
【請求項４】
前記ベンチュリ室と前記排出導管との間に設けて流れを連通する排出遷移室を更に備え、この排出遷移室はこの排出遷移室の下にある前記ベンチュリ室の横断面積およびこの排出遷移室の上にある前記排出導管の横断面積よりも大きな横断面積を有しており、前記排出導管に入る前に前記空気の流れを減速させる前記排出遷移室である請求項３に記載の異物除去装置。
【請求項５】
前記ハウジングが補助的なクリーンエア入口を有し、前記製品送出開口に隣接する開口を通り抜け且つ前記ハウジングを通過する空気の流れを好適に提供するために、このクリーンエア入口が開放可能であり、前記ハウジングの外部から前記製品送出開口を通って引き込まれる空気の流れが妨げられるように前記製品送出開口が封止された場合、前記ハウジングの外部からクリーンエアの供給源を提供するための前記補助的なクリーンエア入口が開放できる請求項４に記載の異物除去装置。
【請求項６】
前記異物除去領域が、さらに上下垂直部分および傾き部分を設けた第１室を有し、この上下垂直部分が前記供給ポートから流れた粒状材料を受け取る部位であり、そして、前記傾き部分が前記上下垂直部分から落下する前記粒状材料に作用して且つ前記粒状材料を横方向から前記ベンチュリ室に誘導するための傾いた床を含む請求項１に記載の異物除去装置。
【請求項７】
前記第１室に在る前記上下垂直部分の側壁に取り付けられたイオン化ピンが、前記粒状材料に陰イオンを誘引し、そこで、ペレットからダスト粒子が分離し、そして、前記ベンチュリ室の中で前記ペレットからダスト粒子の除去を促進する請求項６に記載の異物除去装置。
【請求項８】
粒状材料から混入異物を洗浄除去する異物除去装置において、
粒状材料から混入異物を除去する異物除去領域を構成するハウジングと、
供給される粒状材料を受け取るために前記ハウジングの上側部分に設けられ且つこの粒状材料を供給ポートに向けて下向きに誘導する傾斜床を設けた供給開口部と、
前記供給開口部の位置に設けられ且つ前記供給ポートを通る粒状材料の流れ制御が可能な計量部と、
前記供給ポートを通過する前記粒状材料を受け取るために位置決めされたベンチュリ室があって、洗浄された粒状材料が製品送出開口を通って落下している状態で、前記製品送出開口を通って上方に向けて流れる空気流がこのベンチュリ室に入ると共に、その空気流で粒状材料からダストおよびデブリの除去を行う前記ベンチュリ室と、
前記ベンチュリ室から上方に移動するダストおよびデブリを含有する空気を受け取るために、前記ベンチュリ室の上側位置に配置した排出導管であって、前記ダストおよびデブリを含有した空気を前記異物除去領域から分離して移動させるための前記排出導管と、
前記ベンチュリ室と前記排出導管との間に設けて、及び、それらベンチュリ室および排出導管の両者の空気流を連通させて、並びに、前記排出導管に入る前の前記ベンチュリ室から出た空気流の速度を減速させる排出遷移室であって、前記ベンチュリ室あるいは前記排出導管の横断面積よりも大きな横断面積を有する前記排出遷移室と、
を備えることを特徴とする異物除去装置。
【請求項９】
前記異物除去装置に対して固定した位置に取り付けた真空発生器が前記ベンチュリ室を通る空気流を誘導して、前記製品送出開口から前記ベンチュリ室および前記排出遷移室を通る空気を前記排出導管に引き込むために、前記真空発生器が前記排出導管に連通する空気流を起こす請求項８に記載の異物除去装置。
【請求項１０】
前記ハウジングが補助的なクリーンエア入口を有し、前記製品送出開口に隣接する開口を通り抜け且つ前記ハウジングを通過する空気流を好適に提供するために、このクリーンエア入口が開放可能であり、前記ハウジングの外部から前記製品送出開口を通って引き込まれる空気流が妨げられるように前記製品送出開口が封止された場合、前記ハウジングの外部からクリーンエアの供給源を提供するための前記補助的なクリーンエア入口が開放できる請求項９に記載の異物除去装置。
【請求項１１】
前記異物除去領域が、さらに上下垂直部分および傾き部分を設けた第１室を有し、この上下垂直部分が前記供給ポートから流れた粒状材料を受け取る部位であり、そして、前記傾き部分が前記上下垂直部分から落下する前記粒状材料に作用して且つ前記粒状材料を横方向から前記ベンチュリ室に誘導するための傾いた床を含む請求項８に記載の異物除去装置。
【請求項１２】
前記第１室に在る前記上下垂直部分の側壁に取り付けられたイオン化ピンが、前記粒状材料に陰イオンを誘引し、そこで、ペレットからダスト粒子が分離し、そして、前記ベンチュリ室の中で前記ペレットからダスト粒子の除去を促進する請求項１１に記載の異物除去装置。
【請求項１３】
前記計量部に設けたステンレス鋼製の円錐形部材が、前記供給開口部に設けた前記傾斜床の上側で最も低い位置に設定できるように、上下垂直方向に調節可能である請求項８に記載の異物除去装置。
【請求項１４】
前記ハウジングに対して上下垂直方向の移動を可能にする構成の取り付けプレートがあって、この取り付けプレートの最も低い位置を画定するために前記取り付けプレートと係合して調節可能なストップ部材を有し、そして、この取り付けプレートにモーターが取り付けられ且つこのモーターの出力シャフトに前記円錐形部材が取り付けられており、さらに、前記取り付けプレートの最も低い位置に対応して前記円錐形部材の最も低い位置が画定される請求項１３に記載の異物除去装置。
【請求項１５】
前記ハウジングに固定されたストップブラケット内に取り付けたつまみネジが、前記ストップ部材として前記取り付けプレートの下部側に配置されて、前記取り付けプレートおよび前記ストップブラケットを相互接続する張力バネが有り、そして、前記取り付けプレートの位置が前記つまみネジに係合するように偏倚する請求項１４に記載の異物除去装置。
【請求項１６】
粒状材料から混入異物を洗浄除去する異物除去装置において、
粒状材料から混入異物を除去する異物除去領域を構成するハウジングと、
供給される粒状材料を受け取るために前記ハウジングの上側部分に設けられて且つこの粒状材料を供給ポートに向けて下向きに誘導する傾斜床を設けた供給開口部と、
前記供給開口部の位置に設けられて且つ前記供給ポートを通る粒状材料の流れ制御が可能な計量部と、
前記供給ポートを通過する前記粒状材料を受け取るために位置決めされたベンチュリ室があって、洗浄された粒状材料が製品送出開口を通って落下している状態で、前記製品送出開口を通って上方に向けて流れる空気の流れがこのベンチュリ室に入ると共に、その空気の流れで粒状材料からダストおよびデブリの除去を行う前記ベンチュリ室と、
前記ベンチュリ室から上方に移動するダストおよびデブリを含有する空気を受け取るために配置し且つ前記ベンチュリ室の上側位置に在る排出導管であり、前記ダストおよびデブリを含有した空気を前記異物除去領域から分離して移動させるための前記排出導管と、
この異物除去装置に対して固定した位置に取り付けた真空発生器があって、前記製品送出開口から前記ベンチュリ室の通過する空気を前記排出導管に引き込むために、前記排出導管に連通する流れを起こす前記真空発生器と、
前記真空発生器の外部に所望の位置まで前記排出導管を伸ばして配置する異物回収器があって、前記ベンチュリ室から流れる空気を前記排出導管で減速することなく連通して配置した前記異物回収器と、
を備え、
前記ベンチュリ室と前記排出導管との間に設けて流れを連通する排出遷移室を更に備え、この排出遷移室はこの排出遷移室の下にある前記ベンチュリ室の横断面積およびこの排出遷移室の上にある前記排出導管の横断面積よりも大きな横断面積を有しており、前記排出導管に入る前に前記空気の流れを減速させる前記排出遷移室であることを特徴とする異物除去装置。
【請求項１７】
前記ハウジングが補助的なクリーンエア入口を有し、前記製品送出開口に隣接する開口を通り抜け且つ前記ハウジングを通過する空気の流れを好適に提供するために、このクリーンエア入口が開放可能であり、前記ハウジングの外部から前記製品送出開口を通って引き込まれる空気の流れが妨げられるように前記製品送出開口が封止された場合、前記ハウジングの外部からクリーンエアの供給源を提供するための前記補助的なクリーンエア入口が開放できる請求項１６に記載の異物除去装置。
【請求項１８】
前記計量部に設けたステンレス鋼製の円錐形部材が、前記供給開口部に設けた前記傾斜床の上側の最も低い位置に設定できるように、上下垂直方向に調節可能である請求項１６に記載の異物除去装置。
【請求項１９】
前記ハウジングに対して上下垂直方向の移動を可能にする構成の取り付けプレートがあって、この取り付けプレートの最も低い位置を画定するために前記取り付けプレートと係合して調節可能なストップ部材を有し、そして、この取り付けプレートにモーターが取り付けられ且つこのモーターの出力シャフトに前記円錐形部材が取り付けられており、さらに、前記取り付けプレートの最も低い位置に対応して前記円錐形部材の最も低い位置が画定される請求項１８に記載の異物除去装置。
【請求項２０】
前記ハウジングに固定されたストップブラケット内に取り付けたつまみネジが、前記ストップ部材として前記取り付けプレートの下部側に配置されて、前記取り付けプレートおよび前記ストップブラケットを相互接続する張力バネが有り、そして、前記取り付けプレートの位置が前記つまみネジに係合するように偏倚する請求項１９に記載の異物除去装置。
【請求項２１】
粒状材料から混入異物を洗浄除去する異物除去装置において、
粒状材料から混入異物を除去する異物除去領域を構成し且つ製品送出開口を有するハウジングと、
供給される粒状材料を受け取るために前記ハウジングの上側部分に設けられ且つこの粒状材料を供給ポートに向けて下向きに誘導する傾斜床を設けた供給開口部と、
前記供給ポートを通過する前記粒状材料を受け取るために位置決めされたベンチュリ室があって、洗浄された粒状材料が製品送出開口を通って落下している状態で、前記製品送出開口を通って上方に向けて流れる空気の流れがこのベンチュリ室に入ると共に、その空気の流れで粒状材料からダストおよびデブリを除去する前記ベンチュリ室と、
前記ベンチュリ室の中でペレットからダスト粒子の除去を促進するために、前記供給ポートを通過する前記粒状材料に陰イオンを誘引し、前記ダスト粒子を前記ペレットから容易に分離するためのイオン化ピンがあって、前記供給ポートの下方にある前記ハウジングの側壁に取り付けられた少なくとも一つの前記イオン化ピンと、
前記ベンチュリ室から上方に移動するダストおよびデブリを含有する空気を受け取るために配置し且つ前記ベンチュリ室の上側位置に在る排出導管であり、前記ダストおよびデブリを含有した空気を前記異物除去領域から分離して移動させるための前記排出導管と、
を備えたことを特徴とする異物除去装置。
【請求項２２】
前記供給開口部の位置に設けられて且つ前記供給ポートを通る粒状材料の流れ制御が可能な計量部であり、この計量部に設けたステンレス鋼製の円錐形部材が、前記供給開口部に設けた前記傾斜床の上側の最も低い位置に設定できるように、上下垂直方向に調節可能である請求項２１に記載の異物除去装置。
【請求項２３】
前記ハウジングに対して上下垂直方向の移動を可能にする構成の取り付けプレートがあって、この取り付けプレートの最も低い位置を画定するために前記取り付けプレートと係合して調節可能なストップ部材を有し、そして、この取り付けプレートにモーターが取り付けられ且つこのモーターの出力シャフトに前記円錐形部材が取り付けられており、さらに、前記取り付けプレートの最も低い位置に対応して前記円錐形部材の最も低い位置が画定される請求項２２に記載の異物除去装置。
【請求項２４】
前記異物除去装置に対して固定した位置に取り付けた真空発生器が前記ベンチュリ室を通る前記空気の流れを誘導して、前記製品送出開口から前記ベンチュリ室および排出遷移室を通る空気を前記排出導管に引き込むために、この真空発生器が前記排出導管に連通する流れを起こす請求項２１に記載の異物除去装置。
【請求項２５】
前記ハウジングが補助的なクリーンエア入口を有し、前記製品送出開口に隣接する開口を通り抜け且つ前記ハウジングを通過する空気の流れを好適に提供するために、このクリーンエア入口が開放可能であり、前記ハウジングの外部から前記製品送出開口を通って引き込まれる空気の流れが妨げられるように前記製品送出開口が封止された場合、前記ハウジングの外部からクリーンエアの供給源を提供するための前記補助的なクリーンエア入口が開放できる請求項２４に記載の異物除去装置。